(57)【特許請求の範囲】
【請求項１】
液透過性表面シートと裏面側シートとの間に吸収体が介在されてなり、背側から股間部を通り腹側までを覆うように形成された内装体と、この内装体の外面における少なくとも前後のウエスト側端部に張り付けられ、少なくとも胴回りを覆うように形成された外装シートとを備えたパンツ型使い捨ておむつにおいて、
前記内装体のウエスト側端部は、ウエスト側の縁が弧状の接着部分により外装シートに対して接着されるとともに、
前記外装シートにおける前記内装体接着部分においては、これを横断するように弾性伸縮部材が設けられていないか、又は弾性伸縮部材が設けられているものの伸縮しないように切断されており、
前記外装シートにおける前記内装体接着部分のウエスト側の部分に、ウエスト側弾性伸縮部材が胴回り方向に沿って伸張された状態で固定されるとともに、前記外装シートにおける前記内装体接着部分の幅方向両側の部分に、複数の側部弾性伸縮部材が胴回り方向に沿って伸張された状態で上下方向に間隔を空けて固定されており、
前記ウエスト側弾性伸縮部材による収縮量が前記側部弾性伸縮部材による収縮量よりも大きく、且つ前記側部弾性伸縮部材は股間側のものからウエスト側のものに向かうにつれて収縮量が大きくなるように構成されている、
ことを特徴とするパンツ型使い捨ておむつ。
【請求項２】
端部弾性伸縮部材が前記接着部分におけるウエスト側の縁に沿って伸張された状態で固定されている、請求項１記載のパンツ型使い捨ておむつ。
【請求項３】
前記内装体は、ウエスト側端部の先端部に、吸収体を有さず且つ外装シートに対して接着されていないエンドフラップ部を有しており、このエンドフラップ部内に前記端部弾性伸縮部材が設けられている、請求項２記載のパンツ型使い捨ておむつ。
【請求項４】
前記内装体のウエスト側の縁が、前記接着部分のウエスト側の縁に沿う形状に形成されている、請求項１〜３のいずれか１項に記載のパンツ型使い捨ておむつ。
【請求項５】
前記内装体の幅方向両側部に、股間側からウエスト側端部まで前後方向に沿って伸張された状態で前後方向弾性伸縮部材が固定されており、この前後方向弾性伸縮部材が前記内装体接着部分のウエスト側の縁まで延在している、請求項１〜４のいずれか１項に記載のパンツ型使い捨ておむつ。
【請求項６】
前記内装体の幅方向両側部に、身体側に起立する帯状のバリヤーカフスが前後方向に沿って内装体の前端から後端までにわたり設けられており、
このバリヤーカフスの前端部、後端部及びこれらの間の中間部分のうち、前端部及び後端部は起立しないように畳まれた状態で前記表面シートに対して固定されるとともに、中間部分は非固定とされ、且つ少なくともこの中間部分に前記前後方向弾性伸縮部材としての細長状弾性伸縮部材が前後方向に沿って伸張した状態で固定されている、請求項５記載のパンツ型使い捨ておむつ。
【発明の詳細な説明】
【技術分野】
【０００１】
本発明は、前後漏れ防止を図った使い捨ておむつに関するものである。
【背景技術】
【０００２】
パンツ型の使い捨ておむつは、液透過性表面シートと裏面側シートとの間に吸収体が介在されてなり、両側部に脚回りギャザーを備え、背側から股間部を通り腹側までを覆うように形成された内装体と、この内装体の外面に張り付けられ、胴回り及び股間部を覆うように形成された外装シートとからなる構造を取るものが多い。このような構造においては、内装体の裏面は前端から後端までの実質的に全体がホットメルト接着剤により外装シートに張り付けられている。そして、外装シートにおける背側の両側部と腹側の両側部とがそれぞれ接合され、ウエスト開口部及び脚開口部が予め形成され、おむつの脚開口部に脚を通して胴回りまで引き上げることにより身体に装着することができる。
また、外装シートの胴回りには、身体に対するフィット性を向上させるために、糸ゴムが幅方向に沿って伸張した状態で、上下方向に間隔を空けて多数平行に取り付けられている。この糸ゴムの収縮力により外装シート自体が身体に押さえ付けられるとともに、外装シートの内側に取り付けられた内装体も身体に押さえ付けられる。
【特許文献１】特開２００６−２６３１６５号公報
【特許文献２】特開２００２−３０１１０４号公報
【特許文献３】特開２００４−２９８３９５号公報
【特許文献４】特開２０００−２６０１５号公報
【特許文献５】特開２００２−２７３８０８号公報
【特許文献６】特開２００４−２２９８５７号公報
【発明の開示】
【発明が解決しようとする課題】
【０００３】
しかしながら、内装体と外装シートとからなる構造のパンツ型使い捨ておむつでは、内装体の前端から後端までが外装シートに接合されていたため、内装体の前端及び後端が身体側ではなく、外装シート側（外側）に反り、身体に対するフィット性が低くなり、その結果、軟便が装着者の背中とウエスト開口部との間から漏れる背漏れや、尿が装着者の腹とウエスト開口部との間から漏れる前漏れが発生し易くなっていた。
そこで、本発明の主たる課題は、内装体のウエスト側端部における身体へのフィット性を簡素な手段で効果的に向上させることにある。
【課題を解決するための手段】
【０００４】
上記課題を解決した本発明は次記のとおりである。
＜請求項１記載の発明＞
液透過性表面シートと裏面側シートとの間に吸収体が介在されてなり、背側から股間部を通り腹側までを覆うように形成された内装体と、この内装体の外面における少なくとも前後のウエスト側端部に張り付けられ、少なくとも胴回りを覆うように形成された外装シートとを備えたパンツ型使い捨ておむつにおいて、
前記内装体のウエスト側端部は、ウエスト側の縁が弧状の接着部分により外装シートに対して接着されるとともに、
前記外装シートにおける前記内装体接着部分においては、これを横断するように弾性伸縮部材が設けられていないか、又は弾性伸縮部材が設けられているものの伸縮しないように切断されており、
前記外装シートにおける前記内装体接着部分のウエスト側の部分に、ウエスト側弾性伸縮部材が胴回り方向に沿って伸張された状態で固定されるとともに、前記外装シートにおける前記内装体接着部分の幅方向両側の部分に、複数の側部弾性伸縮部材が胴回り方向に沿って伸張された状態で上下方向に間隔を空けて固定されており、
前記ウエスト側弾性伸縮部材による収縮量が前記側部弾性伸縮部材による収縮量よりも大きく、且つ前記側部弾性伸縮部材は股間側のものからウエスト側のものに向かうにつれて収縮量が大きくなるように構成されている、
ことを特徴とするパンツ型使い捨ておむつ。
【０００５】
（作用効果）
本発明のように、外装シートに対する内装体の接着部分の形状が、ウエスト側の縁が弧状であるとともに、内装体接着部分のウエスト側に位置するウエスト側弾性伸縮部材による収縮量が前記側部弾性伸縮部材による収縮量よりも大きく、且つ内装体接着部分の幅方向両側に位置する側部弾性伸縮部材は股間側のものからウエスト側のものに向かうにつれて収縮量が大きくなるように構成されていると、ウエスト側弾性伸縮部材及び側部弾性伸縮部材により内装体接着部分のウエスト側及び幅方向両側が身体に対して押し付けられるとともに、外装シートがウエスト側ほど収縮量が大きくなるため、内装体の接着部分が内側から見て舟形に窪み、内装体のウエスト側端部が身体に対して良好にフィットするようになる。よって、大きな仕様変更を要さずに内装体のウエスト側端部のフィット性を効果的に向上させることができる。
【０００６】
【０００７】
また、このように接着部分の縁が弧状に形成されていると、内装体の接着部分が船形になる際、内装体のウエスト側端部が弧状をなすため、身体表面に対するフィット性及び装着感がより一層のものとなる。また、外観において、内装体の膨らみのウエスト側の縁が丸みを帯びるようになるため、おむつの上に衣服を着用したときの見栄えに優れるようになる。
【０００８】
＜請求項２記載の発明＞
端部弾性伸縮部材が前記接着部分におけるウエスト側の縁に沿って伸張された状態で固定されている、請求項１記載のパンツ型使い捨ておむつ。
【０００９】
（作用効果）
本項記載のように構成することによって、端部弾性伸縮部材の収縮力により、前述した舟形形状が弾性的に維持されるようになる。よって、身体に対するフィット性・追従性が向上し、背漏れや前漏れ防止効果がより一層のものとなる。
【００１０】
＜請求項３記載の発明＞
前記内装体は、ウエスト側端部の先端部に、吸収体を有さず且つ外装シートに対して接着されていないエンドフラップ部を有しており、このエンドフラップ部内に前記端部弾性伸縮部材が設けられている、請求項２記載のパンツ型使い捨ておむつ。
【００１１】
（作用効果）
本項記載のように構成することによって、内装体のエンドフラップが身体側に起立し、排泄物の遮断壁を形成するようになる。よって、背漏れや前漏れ防止効果がより一層のものとなる。
【００１２】
＜請求項４記載の発明＞
前記内装体のウエスト側の縁が、前記接着部分のウエスト側の縁に沿う形状に形成されている、請求項１〜３のいずれか１項に記載のパンツ型使い捨ておむつ。
【００１３】
（作用効果）
本項記載のように構成されていると、外装シートに対する内装体のウエスト側端部の非接着部分が接着部分から不恰好に食み出ないため、フィット性、装着感及び外観がより一層のものとなる。
【００１４】
＜請求項５記載の発明＞
前記内装体の幅方向両側部に、股間側からウエスト側端部まで前後方向に沿って伸張された状態で前後方向弾性伸縮部材が固定されており、この前後方向弾性伸縮部材が前記内装体接着部分のウエスト側の縁まで延在している、請求項１〜４のいずれか１項に記載のパンツ型使い捨ておむつ。
【００１５】
（作用効果）
本項記載のように、内装体の幅方向両側部に弾性伸縮部材を設けるとともに、この弾性伸縮部材を内装体接着部分のウエスト側の縁まで延在させることによっても、内装体を前述の船形形状に弾性的に維持できるようになる。
【００１６】
＜請求項６記載の発明＞
前記内装体の幅方向両側部に、身体側に起立する帯状のバリヤーカフスが前後方向に沿って内装体の前端から後端までにわたり設けられており、
このバリヤーカフスの前端部、後端部及びこれらの間の中間部分のうち、前端部及び後端部は起立しないように畳まれた状態で前記表面シートに対して固定されるとともに、中間部分は非固定とされ、且つ少なくともこの中間部分に前記前後方向弾性伸縮部材としての細長状弾性伸縮部材が前後方向に沿って伸張した状態で固定されている、請求項５記載のパンツ型使い捨ておむつ。
【００１７】
（作用効果）
本項記載の発明は、汎用されているバリヤーカフスの細長状弾性伸縮部材を利用し、この弾性伸縮部材を内装体接着部分のウエスト側の縁まで延在させることにより、内装体を前述の船形形状に弾性的に維持するものである。
【発明の効果】
【００１８】
以上のとおり、内装体のウエスト側端部における身体へのフィット性を簡素な手段で効果的に向上させることができる、等の利点がもたらされる。
【発明を実施するための最良の形態】
【００１９】
先ず、図１〜図９を参照しつつ、パンツ型の使い捨て紙おむつの基本構造の例について説明する。各図において、「前後方向」とは腹側（前側）と背側（後側）を結ぶ方向を意味し、「幅方向」とは前後方向と直交する方向（左右方向）を意味し、「上下方向」とはおむつの装着状態、すなわちおむつの前身頃両側部と後身頃量側部を重ね合わせるようにおむつを股間部で２つに折った際に胴回り方向と直交する方向、換言すればウエスト開口部ＷＯ側と股間部側とを結ぶ方向を意味する。
【００２０】
このパンツ型使い捨ておむつは、装着者の胴回りのうち腹側を覆う腹側外装シート１２Ｆと背側を覆う背側外装シート１２Ｂとを有しており、腹側外装シート１２Ｆの幅方向両側縁の接合部１２Ａと背側外装シート１２Ｂの幅方向両側縁の接合部１２Ａとが、ヒートシールや超音波溶着等により接合されて筒状の胴回り部１００が形成されるように構成されている。図示形態のように、背側外装シート１２Ｂが接合部１２Ａよりも下側に延出している場合には、この部分までを含む上下方向範囲に一体的にヒートシール等の加工を施し、背側延出部１４に延出溶着部１２Ｅを設けることができる。延出溶着部１２Ｅを設けることにより、後述する背側延出部１４の第２の細長状弾性伸縮部材１６の引き込みを防止することができる。この場合、脇部の破りやすさを考慮して、接合部１２Ａは小さな溶着部の集合からなり、接合部１２Ａにおける溶着面積の比率が低い接合パターンとすることが一般的であるが、延出溶着部１２Ｅでは破りやすさを考慮する必要が無いため、溶着パターンは接合部１２Ａよりも溶着面積の比率を高くすることにより第２の細長状弾性伸縮部材１６が確実に溶着固定されるようにしてもよい。また、延出溶着部１２Ｅは臀部カバー部１４Ｃの縁部をカーブしたラインで溶着し、臀部カバー部１４Ｃの第２の細長状弾性伸縮部材１６の引き込みを防止することもできる。
また、胴回り部１００における腹側外装シート１２Ｆの幅方向中央部内面に内装体２００の前端部がホットメルト接着剤等により連結されるとともに、背側外装シート１２Ｂの幅方向中央部内面に内装体２００の後端部がホットメルト接着剤等により連結されており、腹側外装シート１２Ｆと背側外装シート１２Ｂとが股間側で連続しておらず、離間されている。この離間距離Ｙは１５０〜２５０ｍｍ程度とすることができる。腹側外装シート１２Ｆと背側外装シート１２Ｂとが股間側で連続し、全体として砂時計形状をなす一体的な外装シートを用いることもできる。
【００２１】
図８及び図９からも判るように、胴回り部１００の上部開口は、装着者の胴を通すウエスト開口部ＷＯとなり、内装体２００の幅方向両側において胴回り部１００の下縁および内装体２００の側縁によりそれぞれ囲まれる部分が脚を通す脚開口部ＬＯとなる。各接合部１２Ａを剥がして展開した状態では、図１に示すように砂時計形状をなす。内装体２００は、背側から股間部を通り腹側までを覆うように延在するものであり、排泄物を受け止めて液分を吸収し保持する部分であり、胴回り部１００は内装体２００を装着者に対して支持する部分である。
【００２２】
（外装シート）
腹側外装シート１２Ｆ及び背側外装シート１２Ｂは、図４及び図５にも示すように不織布等のシート１２，１２を２枚貼り合せてなり、胴回りに対するフィット性を高めるために、両シート１２，１２間に糸ゴム等の細長状弾性伸縮部材１５〜１９が所定の伸張率で設けられているものである。不織布を用いる場合、その坪量は１０〜３０ｇ／ｍ2程度とするのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。また、細長状弾性伸縮部材１５〜１９としては、合成ゴムを用いても、天然ゴムを用いても良い。各外装シート１２Ｆ，１２Ｂの両シート１２，１２の貼り合せや、その間に挟まれる細長状弾性伸縮部材１５〜１９の固定にはホットメルト接着またはヒートシールや超音波接着を用いることができる。
より詳細には、背側外装シート１２Ｂは、接合部１２Ａと同じ上下方向範囲を占める背側本体部１３と、この背側本体部１３の下側に延出する背側延出部１４とを有している。背側延出部１４は、内装体２００と重なる幅方向中央部１４Ｍと、その両側に延出した臀部カバー部１４Ｃとを有している。
【００２３】
背側延出部１４の形状は適宜定めることができるが、図示例では、背側延出部１４の上端部は、背側本体部１３と同幅で背側本体部１３の下側に延出されており、その下側は股間側に近づくにつれて幅が狭められている。背側本体部１３と同幅の部分は省略することもできる。このように構成されていると、臀部カバー部１４Ｃの幅方向外側の縁１４ｅが、股間側に近づくにつれて内装体２００側に近づくような直線状または曲線状をなすようになり、臀部を覆い易い形状となる。
背側延出部１４の寸法は適宜定めることができるが、図６に示すように、臀部カバー部１４Ｃの幅方向長さ１４ｘ（臀部カバー部１４Ｃの幅方向外側の縁１４ｅと内装体２００の側縁との幅方向の最大離間距離）が８０〜１６０ｍｍであり、臀部カバー部１４Ｃの上下方向の長さ１４ｙ（延出長さ）が３０〜８０ｍｍであると、より好ましい。また、背側延出部１４の幅方向に最も広い部位と上下方向に最も広い部位により定まる四角形の面積をＳとすると、背側延出部１４の面積はＳに対して２０〜８０％、特に４０〜６０％程度であると、臀部の外観および装着感に優れるため、好ましい。
【００２４】
背側本体部１３は、上下方向において概念的にウエスト部Ｗと、これよりも下側の下側部分Ｕとに分けることができ、その範囲は製品のサイズによって異なるが、一般に、ウエスト部Ｗの上下方向長さは１５〜８０ｍｍ、下側部分Ｕの上下方向長さは３５〜２２０ｍｍとすることができる。
背側本体部１３のウエスト部Ｗには、幅方向全体にわたり連続するように、複数の背側ウエスト部弾性伸縮部材１７が上下方向に間隔を空けて、かつ所定の伸張率で幅方向に沿って伸張された状態で固定されている。また、背側ウエスト部弾性伸縮部材１７のうち、背側本体部１３の下側部分Ｕに隣接する領域に配設される１本または複数本については、内装体２００と重なっていてもよいし、内装体２００と重なる幅方向中央部を除いてその幅方向両側にそれぞれ設けてもよい。この背側ウエスト弾性伸縮部材１７としては、太さ１５５〜１８８０ｄｔｅｘ、特に４７０〜１２４０ｄｔｅｘ程度の糸ゴムを、４〜１２ｍｍの間隔で３〜２２本程度、それぞれ伸張率１５０〜４００％、特に２２０〜３２０％程度で固定するのが好ましい。
また、背側本体部１３の下側部分Ｕにおいては、内装体２００と重なる幅方向中央部を除いて、その上側および幅方向両側の各部位に、各部位の幅方向全体にわたり連続するように、複数の第１の細長状弾性伸縮部材１５が上下方向に間隔を空けて、かつ所定の伸張率で幅方向に沿って伸張された状態で固定されている。
【００２５】
第１の細長状弾性伸縮部材１５としては、太さ１５５〜１８８０ｄｔｅｘ、特に４７０〜１２４０ｄｔｅｘ程度の糸ゴムを、１〜１５ｍｍ、特に３〜８ｍｍの間隔で５〜３０本程度、それぞれ伸張率２００〜３５０％、特に２４０〜３００％程度で固定するのが好ましい。
【００２６】
また、背側延出部１４においては、内装体２００と重なる幅方向中央部を除いて、その幅方向両側の各部位に、各部位の幅方向全体にわたり（少なくとも臀部カバー部１４Ｃ全体にわたり）連続するように、複数の第２の細長状弾性伸縮部材１６が上下方向に間隔を空けて、かつ所定の伸張率で幅方向に沿って伸張された状態で固定されている。
【００２７】
第２の細長状弾性伸縮部材１６としては、太さ１５５〜１８８０ｄｔｅｘ、特に４７０〜１２４０ｄｔｅｘ程度の糸ゴムを、５〜４０ｍｍ、特に５〜２０ｍｍの間隔で２〜１０本程度、それぞれ伸張率１５０〜３００％、特に１８０〜２６０％で固定するのが好ましい。
【００２８】
一方、腹側外装シート１２Ｆは背側外装シート１２Ｂの背側本体部１３と基本的に同様の腹側本体部（接合部１２Ａと同じ上下方向範囲を占める部分）のみからなるものであり、胴回り方向に沿って延在する矩形状をなし、背側外装シート１２Ｂのような背側延出部１４を有していないものである。
すなわち、腹側外装シート（腹側本体部）１２Ｆのウエスト部Ｗおよび下側部分Ｕのうち、ウエスト部Ｗには、幅方向全体にわたり連続するように、複数の腹側ウエスト部弾性伸縮部材１８が上下方向に間隔を空けて、かつ所定の伸張率で幅方向に沿って伸張された状態で固定されている。この腹側ウエスト部弾性伸縮部材１８は、背側ウエスト部弾性伸縮部材１７に対して、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００２９】
また、腹側外装シート１２Ｆ（腹側本体部）の下側部分Ｕにおいては、内装体２００と重なる幅方向中央部を除いて、その上側および幅方向両側の各部位に、各部位の幅方向全体にわたり連続するように、複数の第３の細長状弾性伸縮部材１９が上下方向に間隔を空けて、かつ所定の伸張率で幅方向に沿って伸張された状態で固定されている。第３の細長状弾性伸縮部材１９の上下方向配設範囲は、下側部分の一部としても良いが、実質的に全体（全体に伸縮力が作用する範囲）とするのが好ましい。
第３の細長状弾性伸縮部材１９としては、第１の細長状弾性伸縮部材１５と、本数、太さ、伸張率、間隔、及び上下方向配置をできるだけ近づけるのが好ましいが、異ならしめることもでき、異ならしめる場合、本数の差は１０本以下、好ましくは５本以下、太さの差は１８８０ｄｔｅｘ以下、好ましくは４７０ｄｔｅｘ以下、伸張率の差は１００％以下、好ましくは４０％以下、間隔の差は１０ｍｍ以下、好ましくは５ｍｍ以下である。
【００３０】
図示形態の腹側外装シート１２Ｆは、接合部１２Ａと同じ上下方向範囲を占める部分のみからなるものとしたが、背側と同様に、接合部１２Ａと同じ上下方向範囲を占める腹側本体部と、この腹側本体部の下側に延出する腹側延出部とからなる構成とすることもできる。これにより、腹側外装シート１２Ｆの脚周り形状を鼠蹊部に沿ってフィットする形状とすることができる。この場合、腹側延出部の面積は、背側延出部の面積の１０〜８０％であるのが好ましく、２０〜５０％であるとより好ましい。腹側延出部が過度に大きいと、かえってフィット性を損なうため好ましくない。
【００３１】
（内装体）
内装体２００は任意の形状を採ることができるが、図１〜図９に示される基本形態では長方形である。内装体２００は、図３に示されるように、身体側となる表面シート３０と、液不透過性シート１１と、これらの間に介在された吸収要素５０とを備えている。液不透過性シート１１の裏面側には、内装体２００の裏面全体を覆うように、あるいは腹側外装シート１２Ｆと背側外装シート１２Ｂとの間に露出する部分全体を覆うように、股間部外装シート１２Ｍを固定することもできる。また、表面シート３０を透過した液を速やかに吸収要素５０へ移行させるために、表面シート３０と吸収要素５０との間に、中間シート（セカンドシート）４０を設けることができる。さらに、吸収部２０の両脇に排泄物が漏れるのを防止するために、内装体２００の両側に、身体側に起立するバリヤーカフス６０，６１を設けることができる。なお、図示しないが、内装体２００の各構成部材は、ホットメルト接着剤などのベタ、ビードまたはスパイラル塗布などにより、適宜相互に固定することができる。
【００３２】
なお、内装体２００の幅方向両側部、特に内装体２００の幅方向両側縁と腹側外装シート１２Ｆの下端縁との交点近傍及び背側外装シート１２Ｂの下端縁との交点近傍では、内装体２００の剛性（剛度）が１５〜５０ｃＮ／５０ｍｍ、特に２０〜３５ｃＮ／５０ｍｍであると、後述するようなバリヤーカフス６０，６１の全体的な起立形状が更に安定するため好ましい。一方、それ以外の部分、例えば幅方向中間部については柔軟性を考慮して、剛性を５〜３５ｃＮ／５０ｍｍ、好ましくは１０〜２５ｃＮ／５０ｍｍと低くするのが好ましい。なお、剛性を高くする範囲は、幅方向には内装体２００の幅方向両側縁から中央側に５〜３０ｍｍの範囲、前後方向には内装体２００と腹側外装シート１２Ｆ，背側外装シート１２Ｂの交点から前後方向にそれぞれ５０ｍｍ以内（吸収体５６の括れ部５６Ｎと重複する部分は含まない）とするのが好ましい。
【００３３】
剛性（剛度）は、ＪＩＳ Ｋ ７１７１（プラスチック‐曲げ剛性の試験方法）に準拠し、次の方法で測定する。測定にはテンシロン試験機（圧子先端部の曲率半径Ｒ１＝５．０±０．１ｍｍ、支持プレート先端部の曲率半径Ｒ２＝５．０±０．２ｍｍ）を用い、内装体２００の製品前後方向の曲げ剛性を測定する。試験片は、内装体２００から測定に影響する弾性伸縮部材を取り除き、これをおむつ長手方向８０ｍｍ、おむつ幅方向５０ｍｍの長方形に切り取ることにより作製する。曲げ剛性値の単位中の５０ｍｍは試験片の短辺の長さであり、試験時の圧子でたわませた試験片の幅である。それぞれ断面円弧状の先端部を有し、両先端部の先端（上端）間の間隔を５０ｍｍとして、互いに平行に且つ両先端部の高さ位置を揃えて配置された一対の支持プレート上に、上記の試験片を、その長手方向を各プレートに直交する方向に向けて、掛け渡すように載置し、その試験片に僅かに接するように圧子先端部を配置する。ロードセル５ｋｇ（レンジ１９６ｃＮ）、速度３０ｍｍ／ｍｉｎの条件で圧子を降下させ、荷重‐たわみ曲線を得る。得られた曲げ応力の最大値を曲げ剛性値（ｃＮ／５０ｍｍ）とする。なお、測定対象となる部位が上記サンプリング寸法より小さい場合は、小スケールの試験片で測定を行い、寸法比に基づいて比例計算にて換算する。
【００３４】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３５】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００３６】
バリヤーカフス６０，６１を設ける場合、表面シート３０の両側部は、液不透過性シート１１とバリヤーカフス６０，６１との間を通して、吸収要素５０の裏側まで回りこませ、液の浸透を防止するために、液不透過性シート１１及びバリヤーカフス６０，６１に対してホットメルト接着剤等により接着するのが好ましい。これにより、内装体２００の両側部の剛性が向上するという効果も得られる。
【００３７】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【００３８】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３９】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。中間シート４０が幅方向側部から吸収体５６の裏面側まで回り込み、ホットメルト接着剤等により接着固定されていると、内装体２００の両側部の剛性が向上する。
【００４０】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで液不透過性シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
液不透過性シート１１は、防漏性を高めるために、吸収要素５０の両側を回りこませて吸収要素５０の表面シート３０側面の両側部まで延在させるのが好ましい。これにより、内装体２００の両側部の剛性が向上するという効果も得られる。この延在部の幅は、左右それぞれ５〜２０ｍｍ程度が適当である。
【００４１】
また、液不透過性シート１１の内面または外面には、印刷や着色によるデザインを施しても良い。また、液不透過性シート１１の内側に、液分の吸収により色が変化する排泄インジケータ８０を設けることができる。
【００４２】
（バリヤーカフス）
バリヤーカフス６０，６１は、内装体２００の両側部に沿って前後方向全体にわたり延在する帯状部材であり、表面シート３０上を伝わって横方向に移動する尿や軟便を遮断し、横漏れを防止するために設けられているものである。
本実施の形態では、図４及び図５にも示すように、内装体２００の左右各側において二重にバリヤーカフス６０，６１が設けられている。おむつを展開した状態では、図示のように、内側バリヤーカフス６１は内装体２００の側部から幅方向中央側に斜めに起立するものであり、外側バリヤーカフス６０は、内側バリヤーカフス６１の幅方向外側において内装体２００の側部から起立するように設けられ、付け根側の部分は幅方向中央側に向かって斜めに起立し、中間部より先端側の部分は幅方向外側に向かって斜めに起立するものである。
より詳細には、内側バリヤーカフス６１は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸張状態で、幅方向に間隔をあけて複数本固定してなるものである。細長状弾性伸縮部材６３は、バリヤーシート６２に対し、前後端部では固定されておらず、中間部においてバリヤーカフスが前後に伸縮するように固定されている。バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４２０〜１１２０ｄｔｅｘが好ましく、６２０〜９４０ｄｔｅｘがより好ましい。固定時の伸長率は、１５０〜３５０％が好ましく、２００〜３００％がより好ましい。また、図示しないが、二つに折り重ねたバリヤーシートの間に防水フィルムを介在させることもできる。
【００４３】
細長状弾性伸縮部材６３は、内側バリヤーカフス６１の先端部に１〜２本配置するのが好ましく、先端部と基端部との間の中間部にも１〜２本配置すると更に好ましい。中間部に細長状弾性伸縮部材６３があると、これを支点として中間部から先端部に亘る範囲で肌に対して面で当たりやすくなる。中間部の細長状弾性伸縮部材６３の配置位置は内側バリヤーカフス６１の高さ（突出部の幅方向長さ）の３０〜７０％範囲が好ましい。乳幼児用紙おむつでは、内側バリヤーカフス６１の高さは１５〜３５ｍｍ程度が好ましいため、細長状弾性伸縮部材６３の配置範囲は先端から基端側に５〜２５ｍｍの位置が好ましく、１２〜１８ｍｍの位置がより好ましい。内側バリヤーカフス６１の先端部及び／または中間部にそれぞれ細長状弾性伸縮部材６３を平行に設ける場合は、その配置間隔６１ｄは２〜１０ｍｍが好ましく、２〜６ｍｍがより好ましい。
【００４４】
そして、内側バリヤーカフス６１のうち幅方向において折り返し部分と反対側の端部は内装体２００の側縁部の裏面に固定された取付部分（内側取付部分）６５とされ、この取付部分６５以外の部分は取付部分６５から突出する突出部分６６（折り返し部分側の部分であり、内側突出部分に相当する）とされ、この突出部分６６のうち前後方向両端部が表面シート３０表面にホットメルト接着剤やヒートシールによる前後固定部６７により固定され、前後方向中間部が非固定の自由部分（内側自由部分）とされ、この自由部分に前後方向に沿う細長状弾性伸縮部材６３が伸張状態で固定されている。
【００４５】
外側バリヤーカフス６０も、内側バリヤーカフス６１と基本的に同様の構造を有するものであるが、その取付部分（外側取付部分）６８が、内装体２００の裏面側における内側バリヤーカフス６１の取付部分６５よりも幅方向中央側において内側バリヤーカフス６１の外面に固定される点、突出部分（外側突出部分）６９のうち前後方向両端部が、取付部分６８から内装体２００の側部を通り内側バリヤーカフス６１における内側突出部分６６の前後方向両端部の表面まで延在し且つ内側突出部分６６の前後方向両端部の表面に固定された付け根側部分と、この付け根側部分の先端から幅方向外側に折り返され且つ付け根側部分に固定された先端側部分とからなる点、細長状弾性伸縮部材６３の配置及び本数等で異なるものである。
ただし、内側バリヤーカフス６１についても、内側突出部分の先端部は幅方向外側に折り返される構造、具体的には内側バリヤーカフス６１の高さ（突出部の幅方向長さ）の１／２以下、好ましくは１／３以下であれば、外側バリヤーカフス６１と同様に先端側部分が幅方向外側に折り返され且つ付け根部側部分に固定される構造を採っても良い。
【００４６】
外側バリヤーカフス６０の自由部分（外側自由部分）に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。外側バリヤーカフス６０に配置する細長状弾性伸縮部材６３の太さや伸長率は、内側バリヤーカフス６１に準ずるが、太さは内側バリヤーカフス６１のものと同じ、またはより太く、伸長率は内側バリヤーカフス６１のものと同じ、またはより低いほうが好ましい。
【００４７】
また、突出部分６６，６９の前後固定部６７の前後方向長さは、内側バリヤーカフス６１の方が外側バリヤーカフス６０と同じかまたは短く形成するのが好ましく、バリヤーカフス６０，６１における細長状弾性伸縮部材６３の前後方向固定長さは、内側バリヤーカフス６１の方が外側バリヤーカフス６０と同じかまたは長く形成するのが好ましい。取付部分６５と突出部分６６との境界は、外側バリヤーカフス６０と内側バリヤーカフス６１とで同じ位置であっても良いが、外側バリヤーカフス６０の境界が内側バリヤーカフス６１の境界よりも幅方向中央側に離間しているのが好ましく、その離間距離は１０ｍｍ以内が好ましい。
【００４８】
外側バリヤーカフス６０及び内側バリヤーカフス６１の取付部分６８，６５における突出部分６６，６９側の縁部には、ホットメルト接着剤やヒートシールによる線状の付け根固定部を形成するのが好ましい。また、他の固定部はホットメルト接着剤等を用いて適宜のパターンで固定することができる。この線状の付け根固定部は、内装体２００の表面側の側部近傍（具体的には側縁から幅方向に０〜５ｍｍ、好ましくは０〜３ｍｍの位置）または裏面側に位置するのが好ましい。この場合、バリヤーカフスを表面側に折り返して固定しているのは実質的に前後方向両端部のみとなるため、前後固定部６７による幅方向中央側への規制が十分に作用しない股間部においては、外側バリヤーカフス６０及び内側バリヤーカフス６１いずれもが幅方向外側に向かって起立し、内側バリヤーカフス６１の形成するポケットが広くなる。表面側で側縁から幅方向に５ｍｍを越えて線状の付け根固定部が位置すると、股間部においてもバリヤーカフスが幅方向中央側に向かって起立し、内側バリヤーカフス６１の形成するポケットが狭くなるため、好ましくない。裏面側に位置する場合は、内装体２００の側縁から０〜２０ｍｍの位置が適当だが、２０ｍｍを越えて位置してもよい。
外側及び内側バリヤーカフス６０，６１の取付部分６８，６５の固定対象は、内装体２００における表面シート３０、液不透過性シート１１、吸収要素５０等適宜の部材とすることができ、またいずれか一方のバリヤーカフスを介して他方のバリヤーカフスを内装体２００に対して固定することもできる。
【００４９】
かくして構成された外側及び内側バリヤーカフス６０，６１では、細長状弾性伸縮部材６３の収縮力が前後方向両端部を近づけるように作用するが、突出部分６６，６９のうち前後方向両端部が起立しないように固定されるのに対して、それらの間は非固定の自由部分とされているため、自由部分のみが図３に示すように身体側に当接するように起立する。特に、取付部分６８，６５が内装体２００の裏面側に位置していると、股間部及びその近傍において外側及び内側バリヤーカフス６０，６１が幅方向外側に開くように起立するため、外側及び内側バリヤーカフス６０，６１が脚周りに面で当接するようになり、フィット性が向上するようになる。一方、股間部の前後両側（腹部及び背部）においては、前後固定部６７により外側及び内側バリヤーカフス６０，６１が幅方向外側へ開かないように規制されるため、内側バリヤーカフス６１は高く起立し、外側バリヤーカフス６０の下半分も同様に起立するため、腹部及び背部における内装体２００両脇からのもれが確実に防止できる。また、内側バリヤーカフス６１の突出部分６６における前後固定部６７は折り返さずに、外側バリヤーカフス６０の突出部部分６８における前後固定部６７は外向きに折り返されているため、外側及び内側バリヤーカフス６０，６１における内側及び外側自由部分間の離間状態が維持され、外側及び内側バリヤーカフス６０，６１が広い間隔で確実に起立し、それぞれが脚周りにフィットするようになるため、漏れ防止性に優れたものとなる。
【００５０】
バリヤーカフス６０，６１の寸法は適宜定めることができるが、乳幼児用紙おむつの場合は、例えば図７に示すように、内側バリヤーカフス６１の起立高さ（展開状態における突出部分６６の幅方向長さ）Ｗ５は１０〜５０ｍｍ、特に１５〜３５ｍｍであるのが好ましく、外側バリヤーカフス６０の起立高さ（展開状態における突出部分６９の幅方向長さ）Ｗ６は１５〜６０ｍｍ、特に２０〜４０ｍｍであるのが好ましい。また、内側バリヤーカフス６１をトップシート３０表面に倒した状態における先端間の離間距離Ｗ４は６０〜１７０ｍｍ、特に７０〜１２０ｍｍであるのが好ましい。また、外側バリヤーカフス６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
なお、図示形態と異なり、外側及び内側バリヤーカフス６０，６１のいずれか一方のみを設けることもできる。
【００５１】
（吸収要素）
吸収要素５０は、吸収体５６と、この吸収体５６の少なくとも裏面及び側面を包む包被シート５８とを有する。包被シート５８は省略することもできる。
【００５２】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００５３】
吸収体５６は長方形形状でも良いが、図６にも示すように、前端部５６Ｆ、後端部５６Ｂ及びこれらの間に位置し、前端部５６Ｆ及び後端部５６Ｂと比べて幅が狭い括れ部５６Ｎとを有する砂時計形状を成していると、吸収体５６自体とバリヤーカフス６０，６１の、脚回りへのフィット性が向上するため好ましい。具体的な寸法としては、吸収体前端部５６Ｆの前後方向長さをＬ１とし、吸収体５６と腹側外装シート１２Ｆとの重なり部分における前後方向長さをＬ２とし、吸収体後端部５６Ｂの前後方向長さをＬ３とし、吸収体５６と背側外装シート１２Ｂとの重なり部分における前後方向長さをＬ４とし、括れ部５６Ｎの最小幅をＷ１とし、吸収体前端部５６Ｆの幅及び吸収体後端部５６Ｂの幅をＷ２としたとき、下記の式（１）〜（４）を満足するように構成されていると、好ましい。
７０ｍｍ  ≦  Ｗ１  ＜  Ｗ２  ≦  １９０ｍｍ  …（１）
０．５  ≦  Ｗ１／Ｗ２  ≦  ０．８５  …（２）
０ｍｍ  ≦  Ｌ１−Ｌ２  ≦  ７０ｍｍ  …（３）
０ｍｍ  ≦  Ｌ３−Ｌ４  ≦  ５０ｍｍ  …（４）
【００５４】
Ｗ１及びＷ２が狭過ぎると、バリヤーカフス６０，６１の起立が不安定になり、また吸収量が不十分となり、広過ぎるとフィット性の低下により装着感が悪化する。
また、上記数値範囲にあると、股間部においてはバリヤーカフス６０，６１の取付部分６５近傍に吸収体５６が存在しないため、バリヤーカフス６０，６１の動きの自由度が増し、バリヤーカフス６０，６１が幅方向外側に開き易く、肌に対して面で当たりやすくなり、脚の動きに対するフィット面の追従性も向上する。前後両側においては内装体２００側部の吸収体５６が十分な範囲に存在するため、これを基点（支点）としてバリヤーカフス６０，６１の起立が安定する。前後両側から股間部に至る部分は、バリヤーカフス６０，６１が内装体２００の幅方向両側縁を基準として幅方向内側に起立した姿勢から幅方向外側に開いていく変位部であり、このバリヤーカフス６０，６１の姿勢変化が内装体２００側部まで存在する吸収体５６により支えられ、バリヤーカフス６０，６１の全体的な起立形状が安定する。上記数値範囲を外れ、括れ部が大きくなりすぎると、股間部においてはバリヤーカフス６０，６１の自由度が高くなりすぎ、かえって脚周りに隙間ができ易くなるおそれがあり、また股間部の前後両側においても基点（支点）が無いためにバリヤーカフス６０，６１の起立が不安定になるおそれがある。逆に括れ部が小さくなりすぎると、バリヤーカフス６０，６１の自由度が低下するので好ましくない。
さらに、括れ部５６Ｎ全体の前後方向長さＬ７は好ましくは８０ｍｍ以上、特に好ましくは１２０〜２６０ｍｍとされる。括れ部５６Ｎの前後方向長さＬ７が短過ぎるとバリヤーカフス６０，６１の自由度が低下するとともに、吸収体５６の脚周りに対するフィット性が低下して脚の動きを妨げるようになり、長すぎるとバリヤーカフス６０，６１の起立が安定しなくなる。
【００５５】
（高吸収性ポリマー粒子）
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５６】
高吸収性ポリマーとしては、抗菌物質と一体化したものを用いることができる。特に、ゼオライト中のイオン交換可能なイオンの一部または全部を銀イオンで置換してなるゼオライト粒子（以下、これを抗菌消臭性ゼオライトという）を高吸収性ポリマー中に含有させるか、あるいは抗菌消臭性ゼオライト粒子を高吸収性ポリマー粒子の表面に静電気により付着させてなる、抗菌消臭性高吸収性ポリマー粒子が好適である。
【００５７】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００５８】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００５９】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００６０】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
【００６１】
この包被シート５８は、図３に示すように、吸収体５６全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包被シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００６２】
（股間部外装シート）
内装体２００の裏面側には、製品外面に露出する股間部外装シート１２Ｍが設けられている。この股間部外装シート１２Ｍの素材としては、腹側外装シート１２Ｆ及び背側外装シート１２Ｂと同様のものを用いることができるが、より高強度の素材や消臭剤を含有するもの等、腹側外装シート１２Ｆ及び背側外装シート１２Ｂとは異なる素材を用いることもできる。具体的には、ＰＰ、ＰＰ／ＰＥ、ＰＰ／ＰＥＴ等の繊維からなる、スパンボンド不織布、メルトブロー不織布、ポイントボンド不織布、エアスルー不織布、エアーポイント不織布、スパンレース不織布、ＳＭＳ不織布等の各種不織布、あるいはこれに消臭剤等を添加したもの等を用いることができる。
【００６３】
股間部外装シート１２Ｍには座位時に高い体圧がかかる。よって、摩擦堅牢度の高い（毛羽立たない）特性を有する素材が好ましい。
股間部外装シート１２Ｍは、印刷や着色を行い、デザイン要素を備えたシートとしてもよい。さらに液不透過性シート１１の外側（例えば液不透過性シート１１と股間部外装シート１２Ｍとの間）に、股間部外装シート１２Ｍとは別部材の、印刷または着色を施したデザインシートを貼り付けても良い。デザイン要素を備えた股間部外装シート１２Ｍとデザインシートとを併用する場合は、それぞれのデザインが重ならないように配置することが好ましい。
【００６４】
股間部外装シート１２Ｍとして伸縮不織布を用い、内装体２００の長手方向に伸長して貼り付けると、股間部のフィット性が向上するため好ましい。
股間部外装シート１２Ｍが幅方向側部から身体側面まで回り込み、バリヤーシート６２の外面にホットメルト接着剤等により接着固定されていると、内装体２００の両側部の剛性が向上する。このような形態においては、股間部外装シート１２Ｍに剛度（コシ度）の高いシートを用いることが好ましい。具体的には、クラーク法（ＪＩＳＬ１０９６ Ｃ法）によって測定される剛軟度の、シートのＭＤ方向とＣＤ方向との和が１００ｍｍ以上、好ましくは１５０ｍｍ以上のシートを用いるとよい。
【００６５】
図示例では、腹側及び背側外装シート１２Ｆ，１２Ｂと内装体２００とが重なる部分において、股間部外装シート１２Ｍは内装体２００と腹側及び背側外装シート１２Ｆ，１２Ｂとの間に挟まれているが、腹側及び背側外装シート１２Ｆ，１２Ｂの外側に貼り付けることも可能である。股間部外装シート１２Ｍは、ホットメルト接着剤等により内装体２００の裏面、並びに腹側及び背側外装シート１２Ｆ，１２Ｂの内面若しくは外面に貼り付けられる。
【００６６】
＜本発明の特徴部分について＞
特徴的には、図１０に示すように、内装体２００の前端部及び後端部における腹側及び背側外装シート１２Ｆ，１２Ｂに対する接着部分２０１の形状が、股間側からウエスト側に向かって幅が狭まりつつ膨出する形状とされている。この接着部分２０１の形状は、本発明では、図示の半円状や、山状等のように、ウエスト側の縁が弧状をなしている形状とされる。特に、図１２に示すように、内装体接着部分２０１を複数の矩形範囲の階段状に積み重ねることにより、上述の膨出形状を構成すると、製造における接着剤の塗布が容易になるため好ましい。
また、腹側及び背側外装シート１２Ｆ，１２Ｂにおける内装体接着部分２０１の幅方向両側の部分においては、内装体接着部分２０１の両側縁又はその近傍から、外装シート１２Ｆ，１２Ｂの幅方向両端部まで、第１〜第３の弾性伸縮部材１５，１６，１９が胴回り方向に沿って伸張された状態で上下方向に間隔を空けて固定されている（以下、側部弾性伸縮部材ともいう）ものの、内装体接着部分２０１においては、内装体接着部分２０１の幅方向両側における弾性伸縮部材と連続して内装体接着部分２０１を横断するように設けられた第１〜第３の弾性伸縮部材１５，１６，１９が切断され収縮力が作用しないようになっている。この切断方法としては、公知の方法（例えば特許文献４，５，６）を採用することができる。もちろん、該当範囲において切断を行わずに、弾性伸縮部材自体を設けない構造とすることもできる。
【００６７】
一方、腹側及び背側外装シート１２Ｆ，１２Ｂにおける内装体接着部分２０１のウエスト側の部位に位置する弾性伸縮部材、つまり図示形態におけるウエスト部弾性伸縮部材１７，１８及び第１の弾性伸縮部材１５，及び第３の弾性伸縮部材１９（以下、ウエスト側弾性伸縮部材ともいう）は切断されずに、各部位の胴回り方向全体にわたり幅方向に沿って伸張された状態で固定されている。
さらに、内装体接着部分２０１のウエスト側におけるウエスト側弾性伸縮部材１７，１８，１５，１９による収縮量が、内装体接着部分２０１の幅方向両側における側部弾性伸縮部材１５，１６，１９による収縮量よりも大きく、且つ側部弾性伸縮部材１５，１６，１９は股間側からウエスト側に向かうにつれて収縮量が大きく構成されている。この収縮量の大小は、伸縮部分（弾性伸縮部材が伸張状態で固定された部分）の胴回り方向（幅方向）の長さや、弾性伸縮部材の太さ、弾性伸縮部材の固定時伸張率により調整することができる。例えば、図示形態において、ウエスト側弾性伸縮部材１７，１８，１５，１９と側部弾性伸縮部材１５，１６，１９とを比べた場合、前者の伸縮部分の長さがより長いため、収縮量は大きい。そして、前者の太さ及び固定時伸張率を後者以上とすることにより、収縮量をより大きくすることができる。また、特に図２、図８及び図９に示されるように、個々の側部弾性伸縮部材１５，１６，１９を比べた場合、内装体接着部分２０１の形状に応じて、ウエスト側に向かうにつれて伸縮部分の長さがより長くなるため、太さ及び固定時伸張率を同一にしても、ウエスト側に向かうにつれて収縮量をより大きくすることができる。
【００６８】
かくして構成された使い捨ておむつにおいては、ウエスト側弾性伸縮部材１７，１８，１５及び側部弾性伸縮部材１５，１６，１９により内装体接着部分２０１のウエスト側及び幅方向両側が身体に対して押し付けられるとともに、外装シート１２Ｆ，１２Ｂがウエスト側ほど収縮量が大きくなるため、内装体２００の接着部分２０１が内側から見て舟形に窪み、内装体２００のウエスト側端部が身体に対して良好にフィットするようになる。特に、内装体接着部分２０１のウエスト側の縁が弧状に形成されていると、内装体２００の接着部分２０１が船形になる際、内装体２００のウエスト側端部が弧状をなすため、身体表面に対するフィット性及び装着感がより一層のものとなる。また、外観において、内装体２００の膨らみのウエスト側の縁が丸みを帯びるようになるため、おむつの上に衣服を着用したときの見栄えに優れるようになる。
【００６９】
内装体２００を舟形に変形させる効果をより一層のものとするため、内装体接着部分２０１におけるウエスト側の縁に沿って糸ゴム等の端部弾性伸縮部材２０２が伸張状態で固定されているのもの好ましい。この場合、端部弾性伸縮部材２０２の収縮力により、前述した舟形形状が弾性的に維持されるようになり、身体に対するフィット性・追従性が向上し、背漏れや前漏れ防止効果がより一層のものとなる。
【００７０】
端部弾性伸縮部材２０２としては、他の弾性伸縮部材と同様に糸ゴム等の公知の弾性伸縮部材を用いることができ、糸ゴムを用いる場合、太さ４７０〜１２４０ｄｔｅｘ、特に４７０〜９４０ｄｔｅｘ程度の糸ゴムを、１本、又は４〜１２ｍｍの間隔で２〜５本程度、伸張率１５０〜３００％、特に１８０〜２３０％程度で固定するのが好ましい。また、端部弾性部材２０２は内装体２００の幅方向一端部から他端部まで連続的に設けられているのが好ましい。
【００７１】
図示形態では、股間部外装シート１２Ｍをウエスト側の縁においてトップシート３０上に折り返して、折り返し部分をホットメルト接着剤等によりトップシート３０に接合するとともに、この折り返し部分のシート間に端部弾性伸縮部材２０２を挟んで固定しているが、これに限られず、例えば股間部外装シート１２Ｍを延在させずに、内装体２００のウエスト側端部の先端部において、トップシート３０と液不透過性シート１１とを張り合わせるとともに、両シート間に端部弾性伸縮部材２０２を挟んで固定することもできる。
このような端部弾性伸縮部材を設ける場合、図示例のように、内装体２００におけるウエスト側端部の先端部に、吸収体５６を有さず且つ外装シート１２Ｆ，１２Ｂに対して接着されていないエンドフラップ部２０３を確保し、このエンドフラップ部２０３内に端部弾性伸縮部材２０２を設けるのが好ましい。これにより、内装体２００のエンドフラップ２０３が図１１に二点鎖線で示されるように身体側に起立し、排泄物の遮断壁を形成するようになる。また、エンドフラップ２０３には、股間側からウエスト側に向かって幅が狭まりつつ膨出する形状の接着部分２０１に対応した形の、非接着部分（自由部分）が形成されているため、遮断壁は臀部や腹部の形状に沿うように、湾曲して起立する。よって、背漏れや前漏れ防止効果がより一層のものとなる。
【００７２】
また、内装体２００の基本部分は、表面シート３０、液透過性シート１１のもとになるシート体を、おむつの前後方向がラインの流れ方向となるように連続的に供給し、これらを積層して接合する際に、吸収要素５０や中間シート４０等を間欠的に挿入し、この連続積層体を個別に切断することによって形成される。このため、内装体２００の形状が長方形であると製造は容易であるが、外装シート１２Ｆ，１２Ｂに対する内装体２００のウエスト側端部の略三角形状の非接着部分が接着部分２０１から不恰好に食み出る。そこで、図１５に示すように、内装体２００のウエスト側の縁を、接着部分２０１のウエスト側の縁に沿う膨出形状に形成するのは一つの好ましい形態である。この場合、内装体２００を構成する各部材のうちウエスト側の縁まで延在するもの（トップシート３０、液不透過性シート１１、吸収要素５０等）については同様の形状に形成するのが好ましい。また、端部弾性伸縮部材２０２も、内装体２００端部の膨出形状に沿うように曲線状に配置するのが好ましい。これにより、内装体２００のウエスト側縁が形成するラインと、接着部２０１のウエスト側縁が形成するラインは略並行となり、外装シート１２Ｆ，１２Ｂに対する内装体２００のウエスト側端部の非接着部分が接着部分２０１から不恰好に食み出ないため、フィット性、装着感及び外観がより一層のものとなる。このような内装体２００は、製造に際して前記の連続積層体を内装体２００よりも幅広に形成し、この連続積層体から内装体２００を個々に切断する際に打抜き加工を用い、周縁形状を図示の小判形等の所定形状に打抜くことにより製造することができる。ただし、この場合には廃材（トリム）が発生するため、図１６に示すように、内装体２００の前後いずれか一方を膨出形状とし、他方をこの膨出形状と嵌合する窪み形状とすると、内装体２００の製造に際して、連続積層体を前後の境界線２０５に沿って個々に切断する際に、廃材が発生しない（トリムレス）ため好ましい。ただし、この場合、他方の窪み形状となる側の内装体２００の端部は、外装シート１２Ｆ，１２Ｂに対して離間しないよう接合されていることが好ましい。なお、内装体２００の後端部（背側端部）を膨出形状とし、前端部（腹側端部）が窪み形状となる場合は、前端部の窪み形状が着用者の下腹部の膨らみに沿うように下側からフィットするため、おむつの腹側がずれにくく、装着時の見た目も良いものとなる。
【００７３】
さらに、図示形態のようなバリヤーカフス６０，６１を有する場合、その弾性伸縮部材６３を内装体接着部分２００のウエスト側の縁まで延在させることによっても、エンドフラップ２０３を起立させ、内装体２００を前述の船形形状に弾性的に維持できるようになる。この時、バリヤーカフス６０，６１の前後固定部６７の前後方向寸法が、内装体２００の両側部における外装シート１２Ｆ，１２Ｂとの非接着部分の前後方向寸法よりも短くされていると、非接着部分にバリヤーカフス６０，６１全体の収縮力が伝わりやすいため、エンドフラップ２０３の起立がより確実なものとなる。また、内装体の端部弾性伸縮部材２０２を備え、かつバリヤーカフス６０，６１の弾性伸縮部材６３が、端部弾性伸縮部材２０２と交差するように配置されていると、内装体端部をコの字に囲むような遮断壁の起立形状が得られるため、好ましい。また、図示しないが、バリヤーカフス６０，６１以外の部分、例えば液不透過性シート１１や股間部外装シート１２Ｍ等の吸収体の裏面側を覆うシートに対して、その幅方向両側部に、股間側からウエスト側端部まで前後方向に沿って伸張された状態で前後方向弾性伸縮部材をそれぞれ固定する、あるいはそのような前後方向に沿う弾性伸縮部材を備えている場合にはそれを利用し、この前後方向弾性伸縮部材を内装体接着部分のウエスト側の縁まで延在させるのも好ましい形態である。この場合、前後方向弾性伸縮部材はウエスト側端部において内装体２００の幅方向両側に位置している限り、股間側では湾曲や交差していても良い。
【００７４】
他方、従来の内装体と外装シートとからなる構造のパンツ型の使い捨ておむつの場合、外装シート１２Ｆ，１２Ｂと内装体２００とが別体で形成されているため、この内装体２００の端が露出していると、外装シート１２Ｆ，１２Ｂとの段差が肌触りを悪化させる。このため、外装シート１２Ｆ，１２Ｂをおむつ前後端で身体側に折り返し、おむつ前後端におけるシートの角を被覆したり、内装体２００の前後端を被覆したりすることが行われており、図１３及び図１４に示すように、本発明においても内装体２００のウエスト側端部における非接着部のめくれを防止するために、この形態を採用することができる。このような構造においても、内装体２００の端部に外装シート１２Ｆ，１２Ｂとの非接着部が形成され、かつエンドフラップ２０３が起立するように弾性伸縮部材が配置されていると、内装体２００の接着部分２０１が内側から見て舟形に窪み、内装体２００のウエスト側端部が身体に対して良好にフィットするとともに、エンドフラップ２０３が外装シート１２Ｆ，１２Ｂの折り返し部分を下側から押し上げるように起立し、前述のものと同様な排泄物の遮断壁を形成することができる。なお、図示例では、外装シート１２Ｆ，１２Ｂの外面側層をのみを折り返している。ただし、この形態では、内装体２００のウエスト側端部が外装シート１２Ｆ，１２Ｂの折り返し部分により拘束される。従って、端部弾性伸縮部材２０２を設ける場合は、太さ６２０〜１２４０ｄｔｅｘ程度の糸ゴムを、複数本、折り返し部分が無い場合よりも強めの伸張率（具体的には伸張率２２０〜２８０％程度）で固定するのが好ましい。また、外装シート１２Ｆ，１２Ｂの折り返し部分を、股間側端部でのみ内装体２００に固定されるようにすると、拘束を少なくすることができる。ただし、身体へのフィット性の向上を重視する場合には、図５に示すように、外装シート１２Ｆ，１２Ｂをおむつ前後端で身体側に折り返した部分の上に、内装体２００を接着し、内装体２００全体を身体側に露出させるのがより好ましい。
【００７５】
また、外装シート１２Ｆ，１２Ｂの折り返し部分が内装体２００の前後端を被覆しない形態において、内装体２００のウエスト側端部における非接着部のめくれを防止するために、内装体２００と外装シート１２Ｆ，１２Ｂとを超音波シールやヒートシールにより溶着すると、強固に接合できるため好ましい。しかし、このような溶着による接合は薄いシート同士でないと困難であるため、内装体と外装シートの接合には、接着剤を用いることが一般的である。非接着部のめくれを防止しようとした場合、内装体接着部分２０１に用いる接着剤は、高い接着強度と、非接着部がめくれようとする動きに追従して変形できる適度な弾性を有するものが好ましい。具体的には、合成ゴム系のホットメルト接着剤、特にスチレン−ブタジエン−スチレン（ＳＢＳ）、スチレン−イソプレン−スチレン（ＳＩＳ）、スチレン−エチレン−プロピレン−スチレン（ＳＥＰＳ）、スチレン−エチレン−ブタジエン−スチレン（ＳＥＢＳ）等のスチレンゴム系のベースポリマーを用いたホットメルト接着剤が好ましく、ベースポリマーの柔軟性に優れたＳＩＳ系のホットメルト接着剤が最も好ましい。
【００７６】
さらに、接着剤の塗布形態は、接着剤層がある程度の厚みを有するほうが変形に追従しやすいため好ましいが、スロットコーターを用いて厚塗りすると接着剤の使用量が多くなり高コストであると共にさほどの変形性は得られず、また接着剤の染み出しのおそれもあるため、例えばノードソン社のフォームメルトアプリケーターのように、ガスを混入してフォーム化したホットメルト接着剤を塗布する方法を用いると良い。このような、ホットメルト接着剤をフォーム化したものは、適度な変形追従性と弾性を有するため、本発明の内装体接着部分２０１には特に好ましい。この場合、接着剤の塗布厚みは０．５〜５ｍｍ程度が好ましく、１〜３ｍｍ程度がより好ましい。また、図１２に示すように、内装体接着部分２０１を複数の矩形範囲の階段状に積み重ねることにより膨出形状を構成する場合は、厚み０．５〜５ｍｍの範囲で階段状に合わせて接着剤の塗布厚みも変更し、股間部側から端部側に向けて段階的に接着剤が厚くなるように構成すると、好ましい。
また、非接着部がめくれた際の肌への付着を考慮し、接着剤を用いて接着する場合は、常温でのタックの少ない（あるいはタックの無い）接着剤を用いるのが好ましい。
【産業上の利用可能性】
【００７７】
本発明は、パンツ型使い捨ておむつに好適なものである。
【図面の簡単な説明】
【００７８】
【図１】パンツ型使い捨ておむつの内面を示す、おむつを展開した状態における平面図である。
【図２】パンツ型使い捨ておむつの外面を示す、おむつを展開した状態における平面図である。
【図３】図１の３−３線断面図である。
【図４】図１の４−４線断面図である。
【図５】図１の５−５線断面図である。
【図６】パンツ型使い捨ておむつの要部のみを寸法とともに示す、おむつを展開した状態における平面図である。
【図７】パンツ型使い捨ておむつの要部のみを寸法とともに示す、断面図である。
【図８】製品状態の正面図である。
【図９】製品状態の背面図である。
【図１０】接着部分を示す、おむつを展開した状態における平面図である。
【図１１】図１０の６−６線断面図である。
【図１２】他の接着部分の形状例を示す平面図である。
【図１３】他のパンツ型使い捨ておむつの内面を示す、おむつを展開した状態における平面図である。
【図１４】図１０の７−７線断面図である。
【図１５】他のパンツ型使い捨ておむつの内面を示す、おむつを展開した状態における平面図である。
【図１６】内装体の切断例を示す平面図である。
【符号の説明】
【００７９】
１０…吸収性本体部、１１…液不透過性シート、１２…外装シート、３０…トップシート、４０…中間シート、５０…吸収要素、５２…繊維、５４…高吸収性ポリマー粒子、５６…吸収体、５８…包被シート、６０…側部バリヤーカフス、６２…バリヤーシート、７０…背側伸縮シート、２００…内装体、２０１…接着部分、２０２…端部弾性伸縮部材、２０３…エンドフラップ部。
【図１】
0005008531.tif 000002
【図２】
0005008531.tif 000003
【図３】
0005008531.tif 000004
【図４】
0005008531.tif 000005
【図５】
0005008531.tif 000006
【図６】
0005008531.tif 000007
【図７】
0005008531.tif 000008
【図８】
0005008531.tif 000009
【図９】
0005008531.tif 000010
【図１０】
0005008531.tif 000011
【図１１】
0005008531.tif 000012
【図１２】
0005008531.tif 000013
【図１３】
0005008531.tif 000014
【図１４】
0005008531.tif 000015
【図１５】
0005008531.tif 000016
【図１６】
0005008531.tif 000017